(57)【要約】【課題】射出成形機に樹脂材料を供給する樹脂材料予備加温システムにおいて、射出成形機の大型化を招くことなく、所定温度に樹脂材料を加温することができる射出成形機の樹脂材料予備加温システムを提供する。【解決手段】樹脂材料の収容される樹脂材料収容器６と、樹脂材料収容器６から樹脂材料が供給される樹脂材料用タンク７と、射出成形機の加熱シリンダ４に樹脂材料を供給するホッパーユニット２と、を備え、樹脂材料収容器６と、樹脂材料用タンク７とを配管１０により接続し、樹脂材料用タンク７とホッパーユニット２とを供給配管１３により接続した射出成形機の樹脂材料予備加温システム１において、樹脂材料収容器６と樹脂材料用タンク７とを接続する配管１０に配管用加温手段１１を設ける。【選択図】図１
2016175388.tif 000002
【特許請求の範囲】
【請求項１】
樹脂材料の収容される樹脂材料収容器と、
該樹脂材料収容器から樹脂材料が供給される樹脂材料用タンクと、
射出成形機の加熱シリンダに樹脂材料を供給するホッパーユニットと、を備え、
前記樹脂材料収容器と前記樹脂材料用タンクとを配管により接続し、前記樹脂材料用タンクと前記ホッパーユニットとを供給配管により接続した射出成形機の樹脂材料予備加温システムにおいて、
前記樹脂材料収容器と前記樹脂材料用タンクとを接続する前記配管に配管用加温手段を設けたことを特徴とする射出成形機の樹脂材料予備加温システム。
【請求項２】
前記配管及び前記供給配管、或いは、前記配管又は前記供給配管に温風を供給する温風供給手段を備えることを特徴とする請求項１に記載の射出成形機の樹脂材料予備加温システム。
【請求項３】
前記樹脂材料用タンクと前記ホッパーユニットとを接続する前記供給配管に供給配管用加温手段を設けたことを特徴とする請求項１又は２に記載の射出成形機の樹脂材料予備加温システム。
【請求項４】
前記樹脂材料用タンクに該樹脂材料用タンクに供給された前記樹脂材料を加温する加温装置を設けたことを特徴とする請求項１〜３の何れか１項に記載の射出成形機の樹脂材料予備加温システム。
【請求項５】
前記ホッパーユニット内の気体及び前記樹脂材料用タンク内の気体を吸引することにより、前記樹脂材料収容器にある樹脂材料を下流側に位置する前記ホッパーユニットへ誘導するローダー装置を備えることを特徴とする請求項１〜４の何れか１項に記載の射出成形機の樹脂材料予備加温システム。
【発明の詳細な説明】
【技術分野】
【０００１】
本発明は、射出成形機の加熱シリンダへ供給される樹脂材料を予備加温する樹脂材料予備加温システムに関する。
【背景技術】
【０００２】
従来から用いられている一般的な射出成形機においては、製造される成形体の原料となり得るペレットが、射出成形機に供給される前に乾燥装置により乾燥され、乾燥に伴う高温化或いは予備加熱装置により高温化されたペレットが射出成形機に供給され、当該射出成形機による射出成形により成形体の製造が行われる。
【０００３】
ペレットは一般的に吸湿性を有しており、湿気を帯びたペレットを用いて射出成形すると、成形体の品質を損なうことが知られている。そのため、こうした問題を解消するため、例えば、特許文献１には、射出成形機のホッパーに加熱手段を備え、当該加熱手段により、成形材料としてのペレットを加熱筒に供給される前に加熱して、予備乾燥及び予備加熱を行うことが記載されている。
【先行技術文献】
【特許文献】
【０００４】
【特許文献１】特開平１１−１７０２９９号公報
【発明の概要】
【発明が解決しようとする課題】
【０００５】
特許文献１等の従来技術においては、ペレット等の樹脂材料が湿気を帯びていたとしても加熱シリンダ内に供給される前に加熱乾燥することが可能ではある。しかし、ペレットの乾燥を行う場合には、ある程度の長時間を要しなければならず、特許文献１に記載のように、ホッパー内でペレットの加熱乾燥を行うとなると、特にハイサイクル化された射出成形機においては、ペレットが連続的に加熱シリンダ内に供給されてゆくため、ペレットの供給不足が生じることがないよう、それ相応の大型サイズのホッパーを採用しなければならず、射出成形機の大型化を招いてしまう。
【０００６】
本発明は、上記課題に鑑みてなされたものであり、射出成形機に樹脂材料を供給する樹脂材料予備加温システムにおいて、射出成形機の大型化を招くことなく、所定温度に樹脂材料を加温することができる射出成形機の樹脂材料予備加温システムを提供することを目的とする。
【課題を解決するための手段】
【０００７】
本射出成形機の樹脂材料予備加温システムに係る発明は、
樹脂材料の収容される樹脂材料収容器と、
該樹脂材料収容器から樹脂材料が供給される樹脂材料用タンクと、
射出成形機の加熱シリンダに樹脂材料を供給するホッパーユニットと、を備え、
前記樹脂材料収容器と前記樹脂材料用タンクとを配管により接続し、前記樹脂材料用タンクと前記ホッパーユニットとを供給配管により接続した射出成形機の樹脂材料予備加温システムにおいて、
前記樹脂材料収容器と前記樹脂材料用タンクとを接続する前記配管に配管用加温手段を設けたことを特徴とする。
【０００８】
本射出成形機の樹脂材料予備加温システムに係る発明は、
前記配管及び前記供給配管、或いは、前記配管又は前記供給配管に温風を供給する温風供給手段を備えることを特徴とする。
【０００９】
本射出成形機の樹脂材料予備加温システムに係る発明は、
前記樹脂材料用タンクと前記ホッパーユニットとを接続する前記供給配管に供給配管用加温手段を設けたことを特徴とする。
【００１０】
本射出成形機の樹脂材料予備加温システムに係る発明は、
前記樹脂材料用タンクに該樹脂材料用タンクに供給された前記樹脂材料を加温する加温装置を設けたことを特徴とする。
【００１１】
本射出成形機の樹脂材料予備加温システムに係る発明は、
前記ホッパーユニット内の気体及び前記樹脂材料用タンク内の気体を吸引することにより、前記樹脂材料収容器にある樹脂材料を下流側に位置する前記ホッパーユニットへ誘導するローダー装置を備えることを特徴とする。
【発明の効果】
【００１２】
本発明によれば、樹脂材料収容器と、樹脂材料用タンクと、を接続する配管に配管用加温手段を設けたことから、樹脂材料収容器から誘導されてきた樹脂材料を、配管内で所定温度に近づくよう加温してから、射出成形機の加熱シリンダ内に供給することができる。
【００１３】
さらに、配管及び供給配管、或いは、配管又は供給配管に温風を供給する温風供給手段を備えることから、配管及び供給配管、或いは、配管又は供給配管にある樹脂材料を、より所定温度に近づけるよう加温したり、所定温度から低下することがないよう温度を保ちながら、射出成形機の加熱シリンダ内に供給することができる。
【００１４】
さらに、樹脂材料用タンクとホッパーユニットとを接続する供給配管に供給配管用加温手段を設けたことから、樹脂材料用タンクから誘導されてきた樹脂材料を、供給配管内で所定温度に近づくよう加温してから、射出成形機の加熱シリンダ内に供給することができる。
【００１５】
さらに、樹脂材料用タンクに、該樹脂材料用タンクに供給された樹脂材料を加温する加温装置を設けたことから、加温装置により、樹脂材料用タンクに収容された多くの樹脂材料を所定温度に近づくよう十分に加温することができる。
【００１６】
さらに、前記ホッパーユニット内の気体及び前記樹脂材料用タンク内の気体を吸引することにより、ホッパーユニットへ樹脂材料を誘導するローダー装置を備えることから、ホッパーユニットへの樹脂材料の搬送を行いながら、その搬送工程で樹脂材料を効果的に所定温度に近づくよう加温することができる。
【図面の簡単な説明】
【００１７】
【図１】本発明の一例の射出成形機の樹脂材料予備加温システムを示す構成図である。
【発明を実施するための形態】
【００１８】
以下、本発明の実施形態を図１により以下に説明する。もちろん、本発明は、その発明の趣旨に反しない範囲で、実施形態において説明した以外の構成のものに対しても容易に適用可能なことは説明を要するまでもない。
【００１９】
本発明の樹脂材料予備加温システム１は、常温で２０℃〜３０℃の樹脂材料を８０℃〜１２０℃の高温に加温してから、当該高温に加温した樹脂材料を、ホッパーユニット２から射出成形機３の加熱シリンダ４内に供給するものである。
【００２０】
図１に示すように、樹脂材料予備加温システム１には、リサイクル用の樹脂を粉砕して二次利用樹脂材料を製造する粉砕機５、バージン樹脂材料の収容される樹脂材料収容器６、樹脂材料収容器６に収容されたバージン樹脂材料と粉砕機５で製造された二次利用樹脂材料とが供給される樹脂材料用タンク７、及び樹脂材料用タンク７に収容された樹脂材料（二次利用樹脂材料とバージン樹脂材料とが混合された樹脂材料）が供給されるホッパーユニット２を備える。
【００２１】
粉砕機５及び樹脂材料収容器６と、樹脂材料用タンク７とは、配管１０により接続されており、配管１０には、配管用加温手段１１及び切替弁１２が設けられている。
【００２２】
また、樹脂材料用タンク７とホッパーユニット２とは、供給配管１３により接続されており、供給配管１３には供給配管用加温手段１４が設けられている。
【００２３】
樹脂材料予備加温システム１には、さらに、温風供給用配管９を通じて配管１０及び供給配管１３に温風を供給する温風供給手段１５、樹脂材料用タンク７に設けられ、該樹脂材料用タンク７に供給された樹脂材料を加温する加温装置１６、ホッパーユニット２内の気体を真空用配管１７を通じて吸引し、ホッパーユニット２内に有する樹脂材料の脱気を行うガス抜き装置ポンプユニット１８、樹脂材料用タンク７内の気体及びホッパーユニット２内の気体を、後述する第１の吸引エアー配管２１及び第２の吸引エアー配管２２を通じて吸引することにより、樹脂材料収容器６と粉砕機５とにある上流側に位置する樹脂材料を、下流側に位置するホッパーユニット２へ誘導するローダー装置１９、及び、配管用加温手段１１の加温温度と、温風供給手段１５の温風温度と、供給配管用加温手段１４の加温温度と、加温装置１６の加温温度と、を調整する温度調整手段たる温度調整機２０を備える。また、ホッパーユニット２とガス抜き装置ポンプユニット１８とは、圧縮エアー用配管２６により接続されており、ガス抜き装置ポンプユニット１８から圧縮エアー用配管８通じてホッパーユニット２へ圧縮エアーを供給することができる。
【００２４】
ローダー装置１９は、第１の吸引エアー配管２１により樹脂材料用タンク７と接続され、第２の吸引エアー配管２２によりホッパーユニット２と接続されている。ローダー装置１９は、樹脂材料収容器６及び粉砕機５から、配管１０、樹脂材料用タンク７、供給配管１３を通じて、ホッパーユニット２へ樹脂材料が誘導されるときに作動され、作動中には、樹脂材料収容器６及び粉砕機５と、ホッパーユニット２との間の経路中にある微細な粉砕材の回収を行う。なお、ガス抜き装置ポンプユニット１８の作動によりホッパーユニット２内に有する樹脂材料の脱気が行われるときには、ローダー装置１９、温風供給手段１５は停止された状態で行われる。
【００２５】
樹脂材料用タンク７には、該樹脂材料用タンク７内を真空にする真空ポンプ２３、樹脂材料用タンク７内の圧力を検出する圧力センサ２４、樹脂材料の供給される上流側に設けられた開閉自在なシャッター２５を備え、ローダー装置１９の作動を停止しているときにシャッター２５を閉じておくことで、樹脂材料用タンク７内に有する樹脂材料が湿気を帯びることがないよう真空状態で保管することができる。
【００２６】
以上のような本実施形態の射出成形機の樹脂材料予備加温システム１によれば、樹脂材料収容器６及び粉砕機５と、樹脂材料用タンク７と、を接続する配管１０に配管用加温手段１１を設けたことから、樹脂材料収容器６及び粉砕機５から誘導されてきた樹脂材料を、配管１０内で所定温度（８０℃〜１２０℃）に近づくよう加温してから、射出成形機の加熱シリンダ４内に供給することができる。しかも、樹脂材料がホッパーユニット２に供給される前に所定温度（８０℃〜１２０℃）に近づくよう加温することができるから、従来のホッパーのように当該ホッパーに加熱手段を設けずに済み、射出成形機の大型化を回避することができる。
【００２７】
さらに、配管１０及び供給配管１３、或いは、配管１０又は供給配管１３の何れか一方のみに温風を供給可能な温風供給手段１５を備えることから、配管１０及び供給配管１３、或いは、配管１０又は供給配管１３の何れかにある樹脂材料を、より所定温度に近づけるよう加温したり、所定温度から低下することがないよう温度を保ちながら、射出成形機の加熱シリンダ４内に供給することができる。
【００２８】
さらに、樹脂材料用タンク７とホッパーユニット２とを接続する供給配管１３に供給配管用加温手段１４を設けたことから、樹脂材料用タンク７から誘導されてきた樹脂材料を、供給配管１３内で所定温度に近づくよう加温してから、射出成形機の加熱シリンダ４内に供給することができる。
【００２９】
さらに、樹脂材料用タンク７に、該樹脂材料用タンク７に供給された樹脂材料を加温する加温装置１６を設けたことから、加温装置１６により、樹脂材料用タンク７に収容された多くの樹脂材料を所定温度に近づくよう十分に加温することができる。
【００３０】
さらに、ホッパーユニット２内の気体及び樹脂材料用タンク７内の気体を吸引することにより、ホッパーユニット２へ樹脂材料を誘導するローダー装置１９を備えることから、ホッパーユニット２への樹脂材料の搬送を行いながら、その搬送工程で樹脂材料を効果的に所定温度に近づくよう加温することができる。
【００３１】
さらに、配管用加温手段１１の加温温度、温風供給手段１５の温風温度、供給配管用加温手段１４の加温温度、及び加温装置１６の加温温度を調整する温度調整機２０を備えたことから、射出成形機の加熱シリンダ４内に供給される樹脂材料が所定温度に近づくよう温度調整することができる。
【００３２】
以上、本実施形態の一例を説明したが、本発明は、前記実施形態に限定されるものではなく、本発明の要旨の範囲内で種々の変形実施が可能である。例えば、本実施形態では、樹脂材料用タンク７に供給される樹脂材料として、粉砕機５の二次利用樹脂材料と、樹脂材料収容器６のバージン樹脂材料であるとして説明したが、粉砕機５の二次利用樹脂材料、又は、樹脂材料収容器６のバージン樹脂材料の何れか一方のみでもよく、適宜選定してよい。
【符号の説明】
【００３３】
１  樹脂材料予備加温システム
２  ホッパーユニット
３  射出成形機
４  加熱シリンダ
５  粉砕機
６  樹脂材料収容器
７  樹脂材料用タンク
８  圧縮エアー用配管
９  温風供給用配管
１０  配管
１１  配管用加温手段
１２  切替弁
１３  供給配管
１４  供給配管用加温手段
１５  温風供給手段
１６  加温装置
１７  真空用配管
１８  ガス抜き装置ポンプユニット
１９  ローダー装置
２０  温度調整機（温度調整手段）
２１  第１の吸引エアー配管
２２  第２の吸引エアー配管
２３  真空ポンプ
２４  圧力センサ
２５  シャッター
【図１】
2016175388.tif 000003